(57)【特許請求の範囲】
【請求項１】
建物の窓用開口部に設けられる二重窓と、該二重窓の上部壁部に設けられ外部と天井裏空間とを連通させるナイトパージ用開口部とを少なくとも有するとともに、
外気温度を測定する外気温度センサー又は外気温湿度を測定する外気温湿度センサーと、天井裏空間に設けられる天井内温度センサー又は天井内温湿度センサーと、天井裏空間内に設けられるナイトパージ用ダンパ及び空調用ダンパと、前記各センサーと接続され前記各ダンパを開閉制御する制御装置とが設けられてなること、
を特徴とするナイトパージ機能付き空気流通窓。
【請求項２】
ナイトパージ用開口部と二重窓とに連通する空間部を設けて、該空間部に天井裏空間内に設けられる排気フアンのダクトを連結させたこと、
を特徴とする請求項１に記載のナイトパージ機能付き空気流通窓。
【発明の詳細な説明】
【０００１】
【発明の属する技術分野】
本発明は、空気流通窓のある建物において、冷房の効率を高めるナイトパージ（ｎｉｇｈｔ  ｐｕｒｇｅ）を行う様にするナイトパージ機能付き空気流通窓に関する。
【０００２】
【従来の技術】
従来、夜間に室内の空気を外気と入れ換え、室内にこもった臭気や熱気を除去して夏期の冷房立ち上がり負荷を軽減するナイトパージが知られている。
【０００３】
また、建物に二重窓を設けその間に室内空気を流通させるようにした空気流通窓によって断熱性を高め、冷房最盛期の負荷軽減や冬季暖房の負荷軽減を図るものが知られている。
【０００４】
【発明が解決しようとする課題】
しかしながら、夏期と冬季との間の中間期においては、前記空気流通窓の断熱性が高いため、外気の温度の方が天井裏空間の温度よりも低い場合に、夜間の放熱が妨げられて日中に使用する空調機の冷房負荷が増大するという課題がある。本発明に係るナイトパージ機能付き空気流通窓は、このような課題を解消するために提案されるものである。
【０００５】
【課題を解決するための手段】
本発明に係るナイトパージ機能付き空気流通窓の上記課題を解決するための要旨は、建物の窓用開口部に設けられる二重窓と、該二重窓の上部壁部に設けられ外部と天井裏空間とを連通させるナイトパージ用開口部とを少なくとも有するとともに、
外気温度を測定する外気温度センサー又は外気温湿度を測定する外気温湿度センサーと、天井裏空間に設けられる天井内温度センサー又は天井内温湿度センサーと、天井裏空間内に設けられるナイトパージ用ダンパ及び空調用ダンパと、前記各センサーと接続され前記各ダンパを開閉制御する制御装置とが設けられてなることである。
【０００７】
本発明に係るナイトパージ機能付き空気流通窓によれば、空気流通窓を有する建物において夏期と冬季との間の中間期でも、天井裏温度よりも低い温度の外気を天井裏空間に夜間導入することで、日中の冷房負荷を軽減させることが可能となる。これにより、夏期から冬季を通じて省エネルギー効果を得ることが出来るようになる。
【０００８】
また、空気流通窓用の排気フアンを利用して、ナイトパージ用開口部から外気を強制的に天井裏空間に取り入れることで、確実に外気風量を見込める。更に、制御装置で外気温度又は外気温湿度と、天井裏空間の温度又は温湿度とを測定するとともにダンパを開閉制御することで、最も効率的且つ自動的にナイトパージを遂行できる。
【０００９】
【発明の実施の形態】
次に、本発明に係るナイトパージ機能付き空気流通窓について図面を参照して説明する。
【００１０】
本発明のナイトパージ機能付き空気流通窓１の第１実施例は、図１（イ）、（ロ）に示すように、建物２の窓用開口部３に二重窓４を設けると共に、該二重窓４の上部壁部５に外部６と天井７ａで仕切られる天井裏空間７とを連通させるナイトパージ用開口部８を設けるものである。
【００１１】
前記ナイトパージ用開口部８には、開閉蓋９と防虫網１０とが設けられている。開閉蓋９は、例えば、水平軸に回動自在に支持される平板体であり、このほかの態様として、例えば、開閉自在なガラリであっても良く、その他、公知の開閉自在蓋を採用することが出来る。前記開口部８と天井裏空間７との間は、図１（ロ）に示すように、両者を連通させる空間部８ａが設けられており、該空間部８ａの中に二重窓４用の排気ダクト１１が天井裏の排気ダクト１２へと配設されている。
【００１２】
前記排気ダクト１２は、図２に示すように、建物２の床スラブ１３を上下に貫通させた竪樋である竪排気ダクト１４に配設されている。また、天井裏空間７にこもる熱気を排気できるように排気管１５が前記竪排気ダクト１４に配設されている。この竪排気ダクト１４には、図示していないが、排気フアン２２（図３参照）が設けられるものである。
【００１３】
前記開閉蓋９は、図３に示すように、例えば、水平軸を回転させるモータ等の開閉装置９ａと、その駆動の制御を行う制御装置１６とにより自動開閉されるものである。このほか、外気温度を測定する外気温度センサー又は外気温湿度を測定する外気温湿度センサー１７と、天井裏空間に設けられる天井内温度センサー又は天井内温湿度センサー１８と、天井裏空間内に設けられるナイトパージ用ダンパ１９及び空調用ダンパ２０と、排気フアンインバータ２１とが前記制御装置１６に接続されている。
【００１４】
上記の様な本発明の第１実施例に係るナイトパージ機能付き空気流通窓１を使用すれば、夏期と冬季との間の中間期において、夜間に外気温度又は外気エンタルピーが下がり、天井裏空間７の温度又は天井内エンタルピーよりも低くなると、外気温度センサー又は外気温湿度センサー１７と天井内温度センサー又は天井内温湿度センサー１８とで検知した温度差、又は、外気温湿度センサー１７と天井内温湿度センサー１８とが検知し制御装置１６で演算して求めた外気エンタルピーと天井内エンタルピーの差に応じて、当該制御装置１６がナイトパージを実行する。
【００１５】
前記制御装置１６により開閉装置９ａが作動し開閉蓋９が開く、また、同時に、ナイトパージ用ダンパ１９が開き、空調用ダンパ２０を閉じて、排気フアンインバータ２１が駆動して排気フアン２２が作動する。
【００１６】
これにより、図４に示すように、温度の低い外気が開口部８から進入し、空間部８ａを通って天井裏空間７に到る。天井裏空間７の熱気は排気管１５から竪排気ダクト１４を通って排気フアン２２で外部に排気される。こうして天井裏空間７には、熱気と入れ替えられて温度の低い外気が充満する。
【００１７】
天井裏空間７の温度が低くなることで、天井７ａ若しくは床スラブ１３を通じて室内２３の温度も下がる。こうして、日中において、空調機を作動させた場合に、冷房負荷が軽減されることになる。
【００１８】
本発明のナイトパージ機能付き空気流通窓の第２実施例は、図５乃至図６に示すように、ナイトパージ用開口部８と二重窓４とに連通する空間部８ａを設けて、該空間部８ａに天井裏空間７内に設けられる排気フアン２４の外気導入ダクト２５を連結させたものである。排気フアン２４と外気導入ダクト２５との間に、ナイトパージ用ダンパ２６が制御装置１６に電気的に接続して設けられる。
【００１９】
また、二重窓４においては、図５及び図７に示すように、室内２３と連通する下部スリット２９と前記空間部に連通する上部スリット２８とがある。そして、上部スリット２８に空気流通を阻止・許容する切替蓋２７が設けられている。該切替蓋２７の構成としては、一例として、水平方向にスライド自在に構成し、ナイトパージ用開口部８の開閉蓋９の開操動作に公知手段によって連動させて、該開閉蓋９が閉じているときには切替蓋２７が開き、開閉蓋９が開いたときには切替蓋２７が閉じるように構成するものである。
【００２０】
この構成によれば、外気の温度又は温湿度と、天井裏空間の温度又は温湿度との条件から、ナイトパージを実行するときには、空調用ダンパ２０を閉じるとともに、上部スリット２８における切替蓋２７を閉じて、天井裏空間７内に設けられる排気フアン２４を作動させることで、外気が強制的に天井裏空間７に導入される。また、日中の空調時は、ナイトパージ用ダンパ２６を閉じるとともに、上部スリット２８における切替蓋２７を開いて、室内２３の空気を二重窓４を通じて外部に排気するものである。
【００２１】
【発明の効果】
以上説明したように、本発明に係るナイトパージ機能付き空気流通窓は、建物の窓用開口部に設けられる二重窓と、該二重窓の上部壁部に設けられ外部と天井裏空間とを連通させるナイトパージ用開口部と、を少なくとも有するので、日中の冷房負荷が軽減され、空気流通窓の性能が総合的に向上するという優れた効果を奏するものである。また、冷凍機等の熱源を動かさずに建物内の熱気を夜間のうちに排出し、翌日の冷房負荷を軽減できる。外気を最短距離で直接的に天井裏空間に導入でき、床スラブや梁の蓄冷が可能となる。更に、通常の夜間換気システムにおけるダクト経路の長さに比して、本発明では天井裏空間への外気導入に必要なダクト経路の長さが短くなるので、その分だけ搬送動力が小さくなるという優れた効果を奏するものである。
【００２２】
また、前記外気温度を測定する外気温度センサー又は外気温湿度を測定する外気温湿度センサーと、天井裏空間に設けられる天井内温度センサー又は天井内温湿度センサーと、天井裏空間内に設けられるナイトパージ用ダンパ及び空調用ダンパと、前記各センサーと接続され前記各ダンパを開閉制御する制御装置とが設けられてなるので、自動制御が可能である。
【図面の簡単な説明】
【図１】本発明に係るナイトパージ機能付き空気流通窓の概略構成を示す縦断面図（イ）と、外部から二重窓及びナイトパージ用開口部を見た一部拡大断面図（ロ）である。
【図２】同本発明に係るナイトパージ機能付き空気流通窓の全体構成を示す平面図である。
【図３】同本発明に係るナイトパージ機能付き空気流通窓の制御部の構成を示すブロック図である。
【図４】同本発明のナイトパージ機能付き空気流通窓の使用状態を示す一部拡大断面図である。
【図５】同第２実施例に係るナイトパージ機能付き空気流通窓の縦断面図である。
【図６】同第２実施例に係るナイトパージ機能付き空気流通窓の全体構成を示す平面図である。
【図７】同本発明の第２実施例に係るナイトパージ機能付き空気流通窓の使用状態を示す一部拡大断面図である。
【符号の説明】
１  ナイトパージ機能付き空気流通窓、２  建物、３  窓用開口部、
４  二重窓、５  上部壁部、６  外部、７  天井裏空間、７ａ  天井、
８  ナイトパージ用開口部、９  開閉蓋、１０  防虫網、
１１  二重窓用排気ダクト、１２  天井裏の排気ダクト、
１３  床スラブ、１４  竪排気ダクト、１５  排気管、１６  制御装置、
１７  外気温度センサー、１８  天井内温度センサー、
１９  ナイトパージ用ダンパ、２０  空調用ダンパ、
２１  排気フアンインバータ、２２ 排気フアン、２３  室内、
２４  排気フアン、２５  外気導入ダクト、２６  ナイトパージ用ダンパ、
２７  切替蓋、２８  上部スリット、２９  下部スリット。
【図１】
0004339488.tif 000002
【図２】
0004339488.tif 000003
【図３】
0004339488.tif 000004
【図４】
0004339488.tif 000005
【図５】
0004339488.tif 000006
【図６】
0004339488.tif 000007
【図７】
0004339488.tif 000008